(57)【特許請求の範囲】
【請求項１】
建物に装備する警備装置であって、
下階に異常が生じたことを検知する異常検知センサと、
前記下階から上階に至る階段の下り口を開閉可能な開閉蓋と、
前記異常検知センサに接続されて、該異常検知センサが異常を検知した際に、前記開閉蓋を前記階段の下り口を閉じるように駆動する駆動手段とを備え、
前記開閉蓋は、上階の床下に水平面内において回動することによって、下り口を開閉するように回転軸に取り付けられており、前記駆動手段は前記回転軸を回転させる駆動モータであることを特徴とする建物の警備装置。
【請求項２】
請求項１に記載の建物の警備装置において、
前記異常検知センサは、前記下階に外部から不審者が侵入したこと検知する防犯センサであることを特徴とする建物の警備装置。
【請求項３】
請求項１に記載の建物の警備装置において、
前記異常検知センサは、前記下階における火災を検知する火災検知センサであることを特徴とする建物の警備装置。
【発明の詳細な説明】
【技術分野】
【０００１】
本発明は住宅などの建物に装備される警報装置に関する。
【背景技術】
【０００２】
従来の防犯センサの一例として、表面に導電部材を形成した板ガラスを建物の開口部に配設し、電源部を導電部材に接続して通電を行い、検知部を導電部材に接続して導電部材の破損による抵抗値の変化を検知することにより建物への不正な侵入を検知するものが知られている（例えば、特許文献１参照。）。そして、このような防犯センサを備えた防犯システムでは、防犯センサが建物への不正な侵入を検知すると、警報音を発したり、警備会社に通報するようになっている。
【特許文献１】特開２００３−１８７３４４号公報
【発明の開示】
【発明が解決しようとする課題】
【０００３】
ところが、前記従来の防犯システムでは、例えば就寝中に建物への不正侵入者があった場合、この不正侵入者が居住者の就寝中の部屋に押し入り、該居住者を襲う可能性がある。このような場合、警報音を発したり、警備会社に通報するだけでは、居住者の安全を確保できないという問題がある。
また、防犯以外の例えば、火災検知システムの場合でも、就寝中に火災が発生した場合に、この発生を火災報知機等によって検知することはできるが、火災の炎や煙が就寝中の部屋に回ってしまい、居住者の安全を確保できないという問題がある。
【０００４】
本発明は上記事情に鑑みてなされたもので、防犯、防火等の警備装置において、下階で異常が発生した場合に、下階から上階に至る階段の下り口を閉じることによって、不正侵入者や炎、煙等が上階に至るのを防止もしくは遅らせることができる建物の警備装置を提供することを課題としている。
【課題を解決するための手段】
【０００５】
上記課題を解決するために、請求項１に記載の発明は、例えば図１および図２に示すように、建物に装備する警備装置であって、
下階に異常が生じたことを検知する異常検知センサ（防犯センサ４）と、
前記下階から上階に至る階段５の下り口５ａを開閉可能な開閉蓋６と、
前記異常検知センサ（防犯センサ４）に接続されて、該異常検知センサが異常を検知した際に、前記開閉蓋６を前記階段５の下り口５ａを閉じるように駆動する駆動手段（駆動モータ１１）とを備え、
前記開閉蓋６は、上階の床下に水平面内において回動することによって、下り口５ａを開閉するように回転軸１０に取り付けられており、前記駆動手段は前記回転軸１０を回転させる駆動モータ１１であることを特徴とする。
【０００６】
請求項１に記載の発明によれば、下階に不正侵入者や火災等の異常が生じた場合、これを異常検知センサ４が検知し、開閉蓋６を階段５の下り口５ａを閉じるように駆動手段１１を駆動する。
したがって、居住者が上階の部屋で就寝中の場合でも、下り口５ａが開閉蓋６によって自動的に閉じられるので、不正侵入者、炎、煙等が下り口５ａから上階に回るのを防止でき、居住者の安全を確保できる。
【０００８】
また、駆動モータ１１によって回転軸１０が回転し、これによって開閉蓋６が回動して、下り口５ａを開閉するので、簡単な機構で開閉蓋６を開閉できる。
【０００９】
請求項２に記載の発明は、例えば図１に示すように、請求項１に記載の建物の警備装置において、
前記異常検知センサは、前記下階に外部から不審者が侵入したこと検知する防犯センサ４であることを特徴とする。
【００１０】
請求項３に記載の発明は、例えば図５に示すように、請求項１に記載の建物の警備装置において、
前記異常検知センサは、前記下階における火災を検知する火災検知センサ１６であることを特徴とする。
【００１１】
このように、異常検知センサを用途に応じて、防犯センサ４や火災検知センサ１６とすることによって、本発明の警備装置を、防犯装置や火災検知装置として使用できる。
【発明の効果】
【００１２】
本発明によれば、異常検知センサと、下階から上階に至る階段の下り口を開閉可能な開閉蓋と、異常検知センサが異常を検知した際に開閉蓋を下り口を閉じるように駆動する駆動手段とを備えているので、下階に不正侵入者や火災等の異常が生じた場合、これを異常検知センサが検知し、開閉蓋を階段の下り口を閉じるように駆動手段を駆動する。したがって、下り口が開閉蓋によって自動的に閉じられるので、不正侵入者、炎、煙等が下り口から上階に回るのを防止でき、居住者の安全を確保できる。
【発明を実施するための最良の形態】
【００１３】
以下、図面を参照して本発明の実施の形態について説明する。
（第１の実施の形態）
図１〜図３は本発明に係る建物の警備装置の第１の実施の形態を示すもので、図１は警備装置が設けられた建物の一部を破断して示す斜視図、図２は駆動手段を示す側面図、図３は開閉蓋を示す平面図である。
【００１４】
図１に示すように、建物は２階建ての住宅である。この住宅は周知の木質パネル工法によって構築されている。
建物の１階には、居間１が設けられており、この居間１に面する外壁２には窓３が設けられている。この窓３には、防犯センサ（異常検知センサ）４が設けられている。この防犯センサ４は、不審者が窓３を開けたり、破ったりして建物内に侵入した際に、これを検知できるものであれば、どのようなセンサであってもよい。また、防犯センサ４は窓３に取り付けてもよいし、それ以外の建物内部の壁や、天井等に設けてもよい。さらに、防犯センサ４は、１階に複数の窓がある場合は、それら全ての窓のうちの一つでも不審者が開けたり、破ったりして建物内に侵入した場合に、これを検知できるように構成する。
【００１５】
１階には２階に至る階段５が設けられており、この階段５の下り口５ａには、開閉蓋６が下り口５ａを開閉可能に設けられている。この開閉蓋６は下り口５ａより若干大きめの長方形板状の平板で形成されており、２階の床を構成する床パネルの内部に配置されている。床パネルは、図２に示すように、框材を矩形枠状に組み立ててなる枠体７の上面に合板等からなる面材８を取り付けたものであり、本実施の形態では、床パネルの下面に天井板９を取り付けている。
開閉蓋６は、面材８と天井板９との間に配置されており、その一つの角部が回転軸１０に取り付けられている。回転軸１０は面材８と天井板９との間に垂直に設けられており、その両端部は軸受１０ａ，１０ａによって回転自在に支持されている。そして、回転軸１０が軸回りに正逆方向に回転することによって、開閉蓋６が回転軸１０回りに回動し、これによって、下り口５ａが開閉されるようになっている。
【００１６】
一方、面材８と天井板９との間には、駆動モータ（駆動手段）１１が前記回転軸１０の近傍に配置されており、この駆動モータ１１はその駆動軸１１ａを下方に向けた状態で、面材８に取り付けられている。駆動軸１１ａは駆動ギヤ１２が取り付けられており、この駆動ギヤ１２は、前記回転軸１０に取り付けられた従動ギヤ１３に噛合している。
したがって、駆動モータ１１の駆動軸１１ａが正方向に回転することによって、駆動ギヤ１２、従動ギヤ１３、回転軸１０を介して開閉蓋６が下り口５ａ側に向けて回転して、該下り口５ａが閉じられ、駆動軸１１ａが逆方向に回転することによって、開閉蓋６が上記と逆方向に回転して、下り口５ａを開けるようになっている。
【００１７】
２階には、寝室１５が設けられており、この寝室１５の内壁には図示しない操作パネルが設けられている。この操作パネルは、前記駆動モータ１１を制御するものであり、駆動モータ１１を手動で起動、停止する手動スイッチと、前記防犯センサ４をON、OFFするセンサスイッチとが設けられている。なお、駆動モータ１１の手動スイッチでは、駆動軸１１ａを正方向に回転させる閉方向と、逆方向に回転させる開方向とを選択できるようになっている。
前記駆動モータ１１と前記防犯センサ４とは操作パネルを介して電気的に接続されている。そして、操作パネルのセンサスイッチによって防犯センサ４をONとすると、防犯センサ４が起動して、不審者が窓３を開けたり、破ったりして建物内に侵入した際に、これを検知するようにセットされる。この状態において防犯センサ４が不審者を検知すると、前記駆動モータ１１の駆動軸１１ａが正方向に回転して、開閉蓋６によって下り口５ａが閉じられる。
【００１８】
このように、１階に不審者が侵入した場合、これを防犯センサ４が検知し、開閉蓋６を階段５の下り口５ａを閉じるように駆動モータ１１が駆動する。
したがって、居住者が上階の部屋で就寝中の場合でも、下り口５ａが開閉蓋６によって自動的に閉じられるので、不正侵入者が下り口５ａから２階に回るのを防止でき、居住者の安全を確保できる。
そして、不正侵入者が居なくなった時点で、操作パネルの手動スイッチを操作して開方向を選択すると、駆動軸１１ａが逆方向に回転して、開閉蓋６が逆方向に回転して、下り口５ａを開けることができる。
【００１９】
なお、前記防犯センサ４が不審者を検知すると同時に、これを外部の警備会社に通報したり、１階の照明を点灯させるように構成してもよい。また、１階にＣＣＤカメラ等の撮影手段を設けておき、前記防犯センサ４が不審者を検知すると同時に、撮影手段が１階のを撮影して、それを記録するとともに、２階の寝室の操作パネルに設けられた画面に映し出すように構成してもよい。
また、図４に示すように、開閉蓋６を格子状に形成してもよい。このようにすれば、開閉蓋６が軽くなるので、開閉蓋６の開閉動作を速くすることができ、また、２階の下り口５ａから開閉蓋６を通して１階の様子や物音をある程度認識することができる。
【００２０】
（第２の実施の形態）
図５は本発明に係る建物の警備装置の第２の実施の形態を示すもので、警備装置が設けられた建物の一部を破断して示す斜視図である。
本実施の形態では、前記防犯センサ４を、火災検知センサ（異常検知センサ）１６に代えている。火災検知センサ１６は、炎、煙り、熱等によって火災を検知できるものであり、１階の居間１の天井や台所の天井等に設置されている。
なお、階段５の下り口５ａを開閉する開閉蓋６、開閉蓋６を駆動する駆動モータ１１等の構成は、第１の実施の形態と同様であるので、同一符号を付してその説明を省略する。
【００２１】
また、本実施の形態では、火災検知センサ１６は常に火災を検知できるように起動されているが、操作パネルのセンサスイッチによって火災検知センサ１６をONとすると、火災検知センサ１６が火災を検知した際に駆動モータ１１が起動するようになっている。したがって、このセンサスイッチを操作しない限り、火災が生じても開閉蓋６が閉じることがないので、居住者が１階に閉じ込められるのを防止できる。
【００２２】
そして、就寝のときに、操作パネルのセンサスイッチによって火災検知センサ１６をONにしておく。就寝中に１階で火災が生じると、これを火災検知センサ１６が検知し、開閉蓋６を階段５の下り口５ａを閉じるように駆動モータ１１が駆動する。
したがって、居住者が上階の部屋で就寝中の場合でも、下り口５ａが開閉蓋６によって自動的に閉じられるので、炎や煙りが下り口５ａから２階にすぐに回るのを防止でき、居住者の安全を確保できる。
【００２３】
なお、前記火災検知センサ１６とともに、前記防犯センサ４を設けておき、これらを集中的に操作パネルで操作できるように構成してもよい。
【図面の簡単な説明】
【００２４】
【図１】本発明に係る建物の警備装置の第１の実施の形態を示すもので、警備装置が設けられた建物の一部を破断して示す斜視図である。
【図２】同、駆動手段を示す側面図である。
【図３】同、開閉蓋を示す平面図である。
【図４】同、開閉蓋の変形例を建物とともに示す斜視図である。
【図５】本発明に係る建物の警備装置の第２の実施の形態を示すもので、警備装置が設けられた建物の一部を破断して示す斜視図である。
【符号の説明】
【００２５】
４  防犯センサ（異常検知センサ）
５  階段
５ａ  下り口
６  開閉蓋
１０  回転軸
１１  駆動モータ（駆動手段）
１６  火災検知センサ（異常検知センサ）
【図１】
0004796380.tif 000002
【図２】
0004796380.tif 000003
【図３】
0004796380.tif 000004
【図４】
0004796380.tif 000005
【図５】
0004796380.tif 000006